(57)【要約】【課題】  梱包された塊状態の廃棄物を開梱して解きほぐせるようにした装置を提供する。【解決手段】梱包体１を回転テーブル２に送り込むプッシャ３と、上記回転テーブル２に載って回転する梱包体１の表面を追随する倣いローラ４と回転刃６とを同一の回転軸５に嵌め、上記倣いローラ４と回転刃６とを梱包体１の表面に沿って揺動可能に支持する揺動アーム７とからなる構成を採用したものであり、必要ならば、上記揺動アーム７は、基軸８に嵌められた揺動アーム７の揺動端に倣いローラ４と回転刃６とを同一の回転軸５に嵌め、その基軸８に位置の調整・固定可能に設けた固定アーム９と、その固定アーム９の先端と上記揺動アーム７の中間点とに回転刃５・倣いローラ４の押圧力を調整するエアシリンダ１０を亘設することがでる。【選択図】図１
2014080233.tif 000002
【特許請求の範囲】
【請求項１】
梱包体（１）を回転テーブル（２）に送り込むプッシャ（３）と、上記回転テーブル（２）に載って回転する梱包体（１）の表面を追随する倣いローラ（４）と回転刃（６）とを同一の回転軸（５）に嵌め、上記倣いローラ（４）と回転刃（６）とを梱包体（１）の表面に沿って揺動可能に支持する揺動アーム（７）とからなる梱包体の開梱装置。
【請求項２】
上記揺動アーム（７）は、基軸（８）に嵌められた揺動アーム（７）の揺動端に倣いローラ（４）と回転刃（６）とを同一の回転軸（５）に嵌め、その基軸（８）に位置の調整・固定可能に設けた固定アーム（９）と、その固定アーム（９）の先端と上記揺動アーム（７）の中間点とに回転刃（５）・倣いローラ（４）の押圧力を調整するエアシリンダ（１０）を亘設してなる請求項１に記載の梱包体の開梱装置。
【請求項３】
上記回転刃（６）の刃先には、一個以上の切欠き（１１）を設けてなる請求項１または２に記載の梱包体の開梱装置。
【発明の詳細な説明】
【技術分野】
【０００１】  この発明は、分別・不分別の廃棄物をストレッチ包装またはフレキシブルコンテナバッグなどで包装された梱包体の開梱装置に関する。
【背景技術】
【０００２】  本出願人はこれまで幾つかの「破袋機」「破・除袋機」を提案してきたが、これら破袋機、破・除袋機で処理された廃棄物は、可燃物の場合は燃料として利用され、ＰＥＴや空き缶のように再利用可能な材料は再生利用され、瓦礫や土砂はその状況に応じて適切に処分される。【０００３】  上記のようにいろいろな利用段階に移るときには、一旦、ストレッチ包装あるいはフレキシブルコンテナバッグ等による包装され、物流手段を経て次の段階に移り、ここで、上記梱包を解き、再処理装置（施設）に投入、燃料として燃焼炉に投入されるか、その他の処理場に投入される。【０００４】  ここで、上記の各処理装置（施設、炉、処理場）へ上記梱包状態のまま投入すると、塊のままであるから燃焼不良、機械装置への偏った負荷が発生し、瓦礫や土砂の場合は適切な処理が望めなくなる問題がある。ところが既に提案されている開梱装置は、こうした状態に対する配慮が全く払われていない。【０００５】
【特許文献１】特開１９９６−１７５５１０
【特許文献１】特開１９９４−００８９２６
【発明の開示】
【発明が解決しようとする課題】
【０００６】  このような状況のもとでこの発明は、上記のように梱包されて塊状態の廃棄物を、次の処理工程に入る前に開梱して解きほぐせるようにした装置を提供することを課題とする。
【課題を解決するための手段】
【０００７】  梱包体１を回転テーブル２に送り込むプッシャ３と、上記回転テーブル２に載って回転する梱包体１の表面を追随する倣いローラ４と回転刃６とを同一の回転軸５に嵌め、上記倣いローラ４と回転刃６とを梱包体１の表面に沿って揺動可能に支持する揺動アーム７とからなる構成を採用したものであり、必要ならば、上記揺動アーム７は、基軸８に嵌められた揺動アーム７の揺動端に倣いローラ４と回転刃６とを同一の回転軸５に嵌め、その基軸８に位置の調整・固定可能に設けた固定アーム９と、その固定アーム９の先端と上記揺動アーム７の中間点とに回転刃５・倣いローラ４の押圧力を調整するエアシリンダ１０を亘設することができ、また、上記回転刃６の刃先には、一個以上の切欠き１１を設けることもできる。
【発明の効果】
【０００８】  上記の如く構成するこの発明によれば、梱包によって固まり状態となった廃棄物は、コンベアによって運ばれ、この発明の装置に送り込まれ、回転刃によって梱包を切断される。ここで回転刃は、梱包体の外周面を倣いながら揺動し、梱包の周囲を確実に切断され、シュートを経て排出されるときには、固まり状態が解け、バラバラになって次工程に送給される。したがって、燃料として利用されるときは完全な燃焼が保障され、材料として利用するときは良好な材料の利用状態となり、瓦礫や土砂の場合は適切な利用の選択が可能となって適切に処理されるようになる。
【発明を実施するための最良の形態】
【０００９】  次にこの発明の実施例を図面と共に説明する。図１はストレッチ包装された梱包体１を搬送するローラコンベヤ１２と本発明に係る装置Ｓ（以下、「本装置」という）とを接続した状態の平面図、図２はその正面図で、ローラコンベヤ１２上の梱包体１が本装置Ｓの手前に到達するとプッシャ３（図５参照）が９０度回転して水平状態（図５参照）になり、梱包体１を回転テーブル２に送り込む。【００１０】  回転テーブル２に梱包体１が送り込まれると、回転テーブル２が作動し、同時に図３・４に示す回転刃揺動機構１３が作動して、回転する梱包体１の表面に倣いローラ４が接するとともに回転刃６の刃先が梱包体１の表面に食い込み（ここで回転刃の食い込み量は倣いローラと回転刃の外径差によって決められる）、梱包体１が回転するにしたがって、その表面を倣いローラ４が追随して揺動アーム７が揺動し、一定の深さで梱包体１の表面が切り裂かれる。なお、このときの回転刃６の梱包体１への食い込み力はエアシリンダ１０によって調節される。【００１１】  梱包体１の高さに対応する本装置Ｓの上下移動と固定は、基軸８に設けられたボルト・ナット（図省略）などによって締・緩可能な固定カラー１４によって行われる。【００１２】  固定アーム９は、揺動アーム７に対して一定の角度を持って基軸８に固定されており、その先端にエアシリンダ１０が連結されている。【００１３】  エアシリンダ１０の他端は、揺動アーム７の中間に設けたピン１５に連結され、その揺動アーム７は基軸８を軸にして揺動し、その先端には回転軸５が設けられ、この回転軸５に倣いローラ４と回転刃６が嵌められている。なお、回転刃は図示しない伝動機構により駆動源に繋がっている。【００１４】  回転刃６で梱包が切り裂かれるとき内部の廃棄物が零れ落ち、飛散することが当然発生する。こうした事態に対処するために図１・図２に示す廃棄物の飛散防止壁１６を回転テーブル２の前後に設けている。【００１５】  梱包の切開が完了するとプッシャ３が作動して、次の梱包体１を介して押し出されて排出シュート１７を経て次の工程に排出される。
【産業上の利用可能性】
【００１６】
【図面の簡単な説明】
【００１７】
【図１】  前段のコンベヤを含む本装置の平面図
【図２】  同正面図
【図３】  回転刃揺動機構（機能説明）の正面図
【図４】  同平面図
【図５】  プッシャ（機能説明）の側面図
【符号の説明】
【００１８】１：梱包体
２：回転テーブル
３：プッシャ
４：倣いローラ
５：回転軸
６：回転刃
７：揺動アーム
８：基軸
９：固定アーム
１０：エアシリンダ
１１：切欠き
１２：ローラコンベヤ
１３：回転刃揺動機構
１４：固定カラー
１５：ピン
１６：飛散防止壁
１７：排出シュート
【図１】
2014080233.tif 000003
【図２】
2014080233.tif 000004
【図３】
2014080233.tif 000005
【図４】
2014080233.tif 000006
【図５】
2014080233.tif 000007